(57)【要約】【課題】プロジェクタの入力ソースの切り換えを容易とすることで操作性の向上を図る。【解決手段】表示する画像の入力ソースを切り替える入力ソース切替部３０を備えるプロジェクタ１０に接続される書画カメラ５０において、書画カメラ５０との間で通信を行うためのＵＳＢインタフェース部７６と、使用者により操作される入力ソース切替用ボタンＳＢと、制御部７０とを備えた構成とする。制御部７０は、入力ソース切替用ボタンＳＢが操作されたときに、入力ソースの切り替えを実行させるための指令信号を、ＵＳＢインタフェース部７６を介してプロジェクタ１０に出力する。【選択図】図２
2010177735.tif 000002
【特許請求の範囲】
【請求項１】
表示する画像の入力ソースを切り替える入力ソース切替部を備える画像表示装置に接続
され、前記入力ソースの一つとなり得る画像を入力する画像入力装置において、
前記画像表示装置との間で通信を行うための通信部と、
前記入力ソースの切り替えを実行させるための指令信号を、前記通信部を介して前記画
像表示装置に出力する切替指令出力部と
を備えることを特徴とする画像入力装置。
【請求項２】
請求項１に記載の画像入力装置であって、
被写体を撮像する撮像部を備える画像入力装置。
【請求項３】
請求項１または２に記載の画像入力装置であって、
使用者により操作可能なスイッチを備え、
前記切替指令出力部は、
前記スイッチの操作がなされたときに、前記指令信号の出力を行う構成である画像入力
装置。
【請求項４】
請求項２に記載の画像入力装置であって、
前記撮像部を保持するアームが展開された状態にあることを検知するアーム展開検知部
を備え、
前記切替指令出力部は、
前記アーム展開検知部によりアームが展開された状態にあることが検知されたときに、
前記指令信号の出力を行う構成である画像入力装置。
【請求項５】
請求項１ないし４のいずれかに記載の画像入力装置であって、
前記通信部は、ＵＳＢの規格に則った通信を行う構成である画像入力装置。
【請求項６】
画像入力装置と接続される画像表示装置であって、
前記画像入力装置との間で通信を行うための通信部と、
表示する画像の入力ソースを切り替える入力ソース切替部と、
前記入力ソースの切り替えを実行させるための指令信号を、前記通信部を介して前記画
像入力装置から受けたときに、前記入力ソース切替部を動作させる切替制御部と
を備える画像表示装置。
【請求項７】
画像表示装置と、前記画像表示装置に接続される画像入力装置とを備える画像表示シス
テムであって、
前記画像表示装置は、
表示する画像の入力ソースを切り替える入力ソース切替部を備え、
前記画像入力装置は、
前記画像表示装置との間で通信を行うための通信部と、
前記入力ソースの切り替えを実行させるための指令信号を、前記通信部を介して前記画
像表示装置に出力する切替指令出力部と
備える、画像表示システム。
【発明の詳細な説明】
【技術分野】
【０００１】
本発明は、画像入力装置と、前記画像入力装置と接続される画像表示装置と、前記画像
入力装置と画像表示装置とを備える画像表示システムとに関する。
【背景技術】
【０００２】
近年、書画カメラをプロジェクタに接続し、書画カメラで撮像した画像をプロジェクタ
で投影するということが、プレゼンテーション等で有効活用されている。こうした画像表
示システムの一つとして、プロジェクタで投影される画像の色あいや明度等を、書画カメ
ラ側から制御可能とする構成が提案されている（特許文献１）。
【０００３】
しかしながら、上記従来の技術でも、次の理由により、使用者の操作性は優れたもので
はなかった。プロジェクタは、複数の入力インタフェースを通常備えており、書画カメラ
以外の入力機器と接続して映像を表示しているときに、書画カメラが接続された場合、書
画カメラの画像を即座に表示することができない。このために、使用者は、プロジェクタ
リモコンを用いるか、プロジェクタに備えられたパネルスイッチを操作するかして、入力
ソースを書画カメラへ切り換える必要があるが、その際に、使用者は、プロジェクタやプ
ロジェクタリモコンが載置されている場所まで移動する必要があり、操作性は悪かった。
【０００４】
【特許文献１】特開２００３−１０１８１８号公報
【発明の開示】
【発明が解決しようとする課題】
【０００５】
本発明は、上述した従来の課題を解決するためになされたものであり、プロジェクタの
入力ソースの切り換えを容易とすることで操作性の向上を図ることを目的とする。
【課題を解決するための手段】
【０００６】
上記課題の少なくとも一部を解決するために、本発明は、以下の形態または適用例とし
て実現することが可能である。
【０００７】
［適用例１］  表示する画像の入力ソースを切り替える入力ソース切替部を備える画像表
示装置に接続され、前記入力ソースの一つとなり得る画像を入力する画像入力装置におい
て、前記画像表示装置との間で通信を行うための通信部と、前記入力ソースの切り替えを
実行させるための指令信号を、前記通信部を介して前記画像表示装置に出力する切替指令
出力部とを備えることを特徴とする画像入力装置。
【０００８】
適用例１に記載の画像入力装置では、入力ソースの切り替えを実行させるための指令信
号を、切替指令出力部により通信部を介して画像表示装置に出力することにより、画像入
力装置側から、画像表示装置の表示する画像の入力ソースを切り替えることができる。し
たがって、適用例１に記載の画像入力装置では、使用者は、画像表示装置やその画像表示
装置用リモコンが載置されている場所まで移動する必要がないことから、使用者の操作性
を向上することができる。
【０００９】
［適用例２］  適用例１に記載の画像入力装置であって、被写体を撮像する撮像部を備え
る画像入力装置。
【００１０】
適用例２に記載の画像入力装置は、被写体を撮像するカメラとして活用することができ
る。
【００１１】
［適用例３］  適用例１または２に記載の画像入力装置であって、使用者により操作可能
なスイッチを備え、前記切替指令出力部は、前記スイッチの操作がなされたときに、前記
指令信号の出力を行う構成である、画像入力装置。
【００１２】
適用例３に記載の画像入力装置では、使用者がスイッチを操作するだけで、入力ソース
の切り替えを実行させるための指令信号を画像表示装置に出力することができる。したが
って、操作性により優れている。
【００１３】
［適用例４］  適用例２に記載の画像入力装置であって、前記撮像部を保持するアームが
展開された状態にあることを検知するアーム展開検知部を備え、前記切替指令出力部は、
前記アーム展開検知部によりアームが展開された状態にあることが検知されたときに、前
記指令信号の出力を行う構成である画像入力装置。
【００１４】
適用例４に記載の画像入力装置では、使用者が、画像入力装置を用いて撮像を行うに際
して撮像部を保持するアームを展開する作業を行うだけで、入力ソースの切り替えを実行
させるための指令信号を画像表示装置に出力することができる。したがって、操作性によ
り優れている。
【００１５】
［適用例５］  適用例１ないし４のいずれかに記載の画像入力装置であって、前記通信部
は、ＵＳＢの規格に則った通信を行う構成である、画像入力装置。
【００１６】
適用例５に記載の画像入力装置では、汎用的なインタフェースであるＵＳＢを用いて通
信を行うことができる。
【００１７】
［適用例６］  画像入力装置と接続される画像表示装置であって、前記画像入力装置との
間で通信を行うための通信部と、表示する画像の入力ソースを切り替える入力ソース切替
部と、前記入力ソースの切り替えを実行させるための指令信号を、前記通信部を介して前
記画像入力装置から受けたときに、前記入力ソース切替部を動作させる切替制御部とを備
える画像表示装置。
【００１８】
［適用例７］  画像表示装置と、前記画像表示装置に接続される画像入力装置とを備える
画像表示システムであって、前記画像表示装置は、表示する画像の入力ソースを切り替え
る入力ソース切替部を備え、前記画像入力装置は、前記画像表示装置との間で通信を行う
ための通信部と、前記入力ソースの切り替えを実行させるための指令信号を、前記通信部
を介して前記画像表示装置に出力する切替指令出力部とを備える、画像表示システム。
【００１９】
適用例６に記載の画像表示装置および適用例７に記載の画像表示システムでは、画像入
力装置側から、表示する画像の入力ソースを切り替えることができる。したがって、適用
例６に記載の画像表示装置および適用例７に記載の画像表示システムでは、画像入力装置
の使用者は、画像表示装置やその画像表示装置用リモコンが載置されている場所まで移動
する必要がないことから、操作性に優れている。
【００２０】
なお、本発明は、種々の態様で実現することが可能であり、例えば、前記画像入力装置
または前記画像表示装置の各部を実現するための方法、前記各部を実現するためのコンピ
ュータプログラム、そのコンピュータプログラムを記録した記録媒体、そのコンピュータ
プログラムを含み搬送波内に具現化されたデータ信号、等の形態で実現することができる
。
【発明を実施するための最良の形態】
【００２１】
以下、本発明の実施の形態を、図面を参照しつつ実施例に基づいて説明する。
【００２２】
１．ハードウェアの構成：
図１は、本発明の一実施例としてのプロジェクタシステムの概略構成を示す説明図であ
る。図示するように、プロジェクタシステム１００は、プロジェクタ１０と、このプロジ
ェクタ１０に接続される４台の画像入力機器、すなわち、書画カメラ５０と、パーソナル
コンピュータ９０と、ビデオテープレコーダ（ＶＴＲ）９１と、ＤＶＤプレイヤ９２とを
備える。これら画像入力機器は、プロジェクタ１０に対して画像の入力ソースを提供する
。ここで、画像とは、静止画、動画（すなわち映像）のいずれであってもよい。書画カメ
ラ５０は映像を取得する。プロジェクタ１０は、これら入力ソースのうちから所望のもの
を選択し、その選択した入力ソースに基づいて、画像をスクリーンＳＣに表示（投写）す
る。
【００２３】
書画カメラ５０は、基台５２と、載置面５４と、アーム５６と、カメラヘッド５８と、
操作パネル６０等を備える。載置面５４は、基台５２上に設けられ、文字や絵が描かれた
紙や、立体的な物等の被写体Ｔが載置される。アーム５６は、カメラヘッド５８を保持す
る。カメラヘッド５８は、レンズ、ＬＥＤ、およびＣＣＤなどの光電変換素子等を備えて
構成され、載置面５４に載置された被写体Ｔを撮像する。操作パネル６０は、複数のボタ
ン（ボタン型のスイッチ）を備え、使用者による書画カメラ５０に対する操作指令を入力
する。
【００２４】
なお、アーム５６は、基台５２から上方側に延びて固定されたものであってもよいし、
基台５２に向けて折りたたみ可能に回動する構成としてもよい。折りたたみ可能とするこ
とで、書画カメラ５０をコンパクトにまとめることができる。使用時には、アーム５６の
折りたたみを開いてアームを展開する。
【００２５】
かかる構成の書画カメラ５０によれば、載置面５４に載置された被写体Ｔを撮像し、そ
の撮像により得られた画像を示す画像信号をプロジェクタ１０に出力する。なお、プロジ
ェクタ１０と書画カメラ５０との間は、ＵＳＢケーブル６２を介してＵＳＢ接続されてい
る。
【００２６】
図２は、プロジェクタ１０と書画カメラ５０の内部構成を示す説明図である。図示する
ように、プロジェクタ１０は、制御部２０、記憶部２２、操作部２４、ＵＳＢインタフェ
ース部２６、入力インタフェース部２８、入力ソース切替部３０、画像処理部３２、およ
び投写部３４を備える。３６はバスで、制御部２０と、投写部３４を除く各部２２〜３２
との間を接続する。
【００２７】
制御部２０は、ＣＰＵなどにより構成され、記憶部２２に記憶されているコンピュータ
プログラムに従って作動し、各部２２〜３２を制御する。記憶部２２は、画像データや各
種のコンピュータプログラムを記憶する。各種のコンピュータプログラムとしては、周知
のＵＳＢモジュール、ＵＳＢクラスドライバ、画像表示プログラム、および後述する切替
実行処理用のプログラム等が記憶されている。操作部２４は、プロジェクタ１０に使用者
からの操作指令を入力するためのもので、操作パネル（図示せず）、リモコン受光部（図
示せず）等を含む。なお、操作パネルとリモコンには、プロジェクタ１０で表示する画像
の入力ソースを切り換えるための入力ソース切替用ボタン（図示せず）を備える。
【００２８】
ＵＳＢインタフェース部２６は、ＵＳＢ（ユニバーサル・シリアル・バス）の規格に則
って外部機器と制御データや画像データ等をやり取りするためのインタフェースである。
本実施例では、書画カメラ５０はこのＵＳＢインタフェース部２６と接続されている。
【００２９】
入力インタフェース部２８は、ＵＳＢ以外の外部機器と制御データおよび画像データを
やり取りするためのインタフェースであり、ここでは、ＲＧＢインタフェース、ビデオイ
ンタフェース、Ｓ−ビデオインタフェース等を含む。ＲＧＢインタフェースにはパーソナ
ルコンピュータ９０が、ビデオインタフェースにはＶＴＲ９１が、Ｓ−ビデオインタフェ
ースにはＤＶＤプレイヤ９２がそれぞれ接続されている。
【００３０】
入力ソース切替部３０は、ＵＳＢインタフェース部２６と、入力インタフェース部２８
に備えられる各インタフェースとの中から１つのインタフェースを選択することで、プロ
ジェクタ１０で表示する画像の入力ソースを切り替える。
【００３１】
画像処理部３２は、入力ソース切替部３０により選択されたインタフェースから入力さ
れる画像データもしくは映像データに基づいて画像表示用の表示用画像データを生成する
。投写部３４は、光源、光変調素子および接写レンズ（これら図示せず）等を備えて構成
され、画像処理部３２によって生成される表示用画像データに基づいて光変調した投写光
を投写する。
【００３２】
書画カメラ５０は、制御部７０、記憶部７２、操作部７４、ＵＳＢインタフェース部７
６、照明部７８、照明制御部８０、撮像部８２、画像処理部８４、および解像度変換部８
６を備える。８８はバスで、制御部７０と、照明部７８および撮像部８２を除く各部７２
〜７６、８０、８４、８６との間を接続する。
【００３３】
制御部７０は、ＣＰＵ、ＤＳＰなどにより構成され、記憶部７２に記憶されているコン
ピュータプログラムに従って作動し、書画カメラ５０に備えられる各部７０〜８６を制御
する。記憶部７２は、画像データや各種のコンピュータプログラムを記憶する。各種のコ
ンピュータプログラムとしては、周知のＵＳＢモジュール、ＵＳＢクラスドライバ、およ
び後述する切替指令発行処理用のプログラム等が記憶されている。
【００３４】
操作部７４は、書画カメラ５０に使用者からの操作指令を入力するためのもので、書画
カメラ５０に設けられている操作パネル６０（図１）を含む。また、操作部７４は、入力
ソース切替用ボタンＳＢを備える。入力ソース切替用ボタンＳＢは、図１で示した操作パ
ネル６０に設けられたもので、その機能については後ほど詳述する。
【００３５】
ＵＳＢインタフェース部７６は、ＵＳＢの規格に則って外部機器と制御データや画像デ
ータ等をやり取りするためのインタフェースである。本実施例では、このＵＳＢインタフ
ェース部７６は、プロジェクタ１０のＵＳＢインタフェース部２６と接続されている。こ
のＵＳＢインタフェース部７６が、本発明の構成要素である「通信部」に相当する。
【００３６】
照明部７８は、被写体Ｔに光を照射するＬＥＤなどの光源である。照明制御部８０は、
照明部７８のオン／オフなどを制御する。撮像部８２は、ＣＣＤなどの光電変換素子や、
ＡＥ（自動露出）／ＡＦ（自動フォーカス）制御を行う駆動部等を備える。撮像部８２は
カメラヘッド５８（図１）に内蔵される。画像処理部８４は、撮像部８２により得られた
画像を示す画像信号に対してホワイトバランスなどの画像処理を施す。解像度変換部８６
は、撮像部８２により得られた画像の解像度をプロジェクタ１０が要求した解像度へ変換
する。このプロジェクタ１０の要求は、ＵＳＢＩ／Ｆ部７６を介してプロジェクタ１０か
ら送られてくる。
【００３７】
以上のように構成されたプロジェクタ１０および書画カメラ５０は、次のように動作し
て、被写体Ｔ（図１）の画像の表示を行う。すなわち、書画カメラ５０側では、制御部７
０は、操作部７４の操作を受けると、照明制御部８０、画像処理部８４、および解像度変
換部８６を制御することで、載置面５４（図１）に載置された被写体Ｔの撮像を行い、そ
の撮像により得られた画像信号を記憶部７２に一旦記憶する。その後、制御部７０は、Ｕ
ＳＢＩ／Ｆ部７６を介して、記憶部７２に記憶された画像信号をプロジェクタ１０側に送
信する。
【００３８】
プロジェクタ１０側では、制御部２０は、ＵＳＢＩ／Ｆ部２６を介して、書画カメラ５
０から送られてくる画像信号を受信し、画像処理部３２を制御することで、その受信した
画像信号に基づいて表示用画像データを生成する。この結果、投写部３４により、前記表
示用画像データに基づいて光変調した投写光が投写される。この結果、スクリーンＳＣ（
図１）に被写体Ｔの画像が表示される。
【００３９】
プロジェクタ１０は、先に説明したように、書画カメラ５０以外にも種々の入力ソース
を備える。プロジェクタ１０の制御部２０は、操作部２４に備えられた入力ソース切替用
ボタン（図示せず）に対する使用者による操作を受けたときに、入力ソース切替部３０を
作動させて、ＵＳＢインタフェース部２６、および入力インタフェース部２８に備えられ
る各インタフェースの中から一つのインタフェースを選択することで、プロジェクタ１０
で表示する画像の入力ソースの切り替えを行う。
【００４０】
さらに、本実施例では、書画カメラ５０側の操作部７４にも前述したように入力ソース
切替用ボタンＳＢを備える。この入力ソース切替用ボタンＳＢが使用者により操作された
ときにも同様に、プロジェクタ１０で表示する画像の入力ソースの切り替えを行う。以下
に、入力ソース切替用ボタンＳＢが押されたときの書画カメラ５０およびプロジェクタ１
０の動作について詳細に説明する。
【００４１】
２．ソフトウェアの構成：
図３は、書画カメラ５０の制御部７０により実行される切替指令発行処理を示すフロー
チャートである。この切替指令発行処理は所定時間毎に繰り返し実行される。図示するよ
うに、処理が開始されると、制御部７０は、操作パネル６０に設けられた入力ソース切替
用ボタンＳＢが押されたか否かを判定する（ステップＳ１１０）。ここで、入力ソース切
替用ボタンＳＢが押されたと判定された場合に、制御部７０は、入力ソースの切替を実行
させるための指令信号（以下、「入力ソース切替指令信号」と呼ぶ）を、ＵＳＢＩ／Ｆ部
７６を介してプロジェクタ１０に送信する（ステップＳ１２０）。詳しくは、書画カメラ
５０は、種々のボタンについてのボタンＩＤと、ボタンの押下またはボタンの押上イベン
トとを入力ソース切替指令信号としてプロジェクタ１０に送信するように構成されている
。
【００４２】
ＵＳＢＩ／Ｆ部７６からの入力ソース切替指令信号の送信は、実際は、ＵＳＢ通信制御
における「コントロール転送」または「インターラプト転送」によって行なわれる。すな
わち、入力ソース切替用ボタンＳＢが押されたことを示すデータを記憶部７２に一旦記憶
しておき、プロジェクタ１０側からＵＳＢＩ／Ｆ部２６を介して上記データを取り込むこ
とにより、入力ソース切替指令信号の送信は実現されている。換言すれば、上記入力ソー
ス切替用ボタンＳＢが押されたことを示すデータが、入力ソース切替指令信号として送信
される。
【００４３】
制御部７０および制御部７０で実行されるステップＳ１２０の処理が、本発明の構成要
素である「切替指令出力部」に相当する。ステップＳ１２０の実行後、「リターン」に抜
けて、この切替指令発行処理を一旦終了する。一方、ステップＳ１１０で、入力ソース切
替用ボタンＳＢが押されていないと判定された場合には、直ちに「リターン」に抜けて、
この切替指令発行処理を一旦終了する。
【００４４】
図４は、プロジェクタ１０の制御部２０により実行される切替実行処理を示すフローチ
ャートである。この切替実行処理は所定時間毎に繰り返し実行される。図示するように、
処理が開始されると、制御部２０は、書画カメラ５０から送られてくる入力ソース切替指
令信号を受信する処理を行う（ステップＳ２１０）。ここで、書画カメラ５０から入力ソ
ース切替指令信号が送られてこないで受信に失敗した場合には、続くステップＳ２２０で
否定判定、すなわち、入力ソース切替指令信号はなしと判定されて、「リターン」に抜け
て、この切替実行処理を一旦終了する。
【００４５】
一方、入力ソース切替指令信号の受信に成功して、ステップＳ２２０で入力ソース切替
指令信号ありと判定された場合には、制御部２０は、入力ソース切替部３０を動作させて
、表示されている入力ソースを次のものに切り替える入力ソース切替処理を実行する（ス
テップＳ２３０）。
【００４６】
プロジェクタ１０においては、前述したように、複数の入力ソースが選択可能となって
いるが、これらソースには予め順位がふられている。例えば、「コンピュータ」→「ビデ
オ」→「Ｓ−ビデオ」→「カメラ」の順に順位がふられている。ここで、「コンピュータ
」はパーソナルコンピュータ９０であり、「ビデオ」はＶＴＲ９１であり、「Ｓ−ビデオ
」はＤＶＤプレイヤ９２であり、「カメラ」は書画カメラ５０である。入力ソース切替部
３０は、次の順位のものに入力ソースを切り替える処理を行う。
【００４７】
その後、制御部２０は、ステップＳ２３０で切り替えられた入力ソースから画像信号が
入力されているか否かを判定する（ステップＳ２４０）。ここで、画像信号の入力ありと
判定された場合には、制御部２０は、画像処理部３２を動作させて、その入力された入力
ソースに基づく画像表示を行う（ステップＳ２５０）。
【００４８】
一方、ステップＳ２４０で、前記入力ソースから画像信号の入力がないと判定された場
合には、ステップＳ２６０に処理を進めて、現在表示されている入力ソース以外のすべて
の入力ソースについての入力探索が終了したか否かを判定する。ここで、すべての入力ソ
ースについての入力探索が終了していないと判定された場合には、ステップＳ２３０に処
理を戻して、入力ソースを次のものに切り替える。
【００４９】
図５は、ステップＳ２３０ないしＳ２６０の繰り返しの処理により実現される入力ソー
スの切り替えの様子の一例を示す説明図である。図中の（ａ）に示すように、「コンピュ
ータ」の入力ソースに基づく画像が表示されているときに、（ｂ）に示すように、入力ソ
ース切替用ボタンＳＢが押されると、（ｃ）に示すように、入力ソースは次の「ビデオ」
に移行する（ステップＳ２３０）が、「ビデオ」であるＶＴＲ９１から画像信号の入力が
ないと（ステップＳ２４０：ＮＯ）、（ｄ）に示すように、入力ソースはさらに次の「Ｓ
−ビデオ」に移行する（ステップＳ２３０）。ここで、「Ｓ−ビデオ」であるＤＶＤプレ
イヤ９２から画像信号の入力がある場合には（ステップＳ２４０：ＹＥＳ）、そのＤＶＤ
プレイヤ９２に基づく画像が表示される（ステップＳ２５０）。
【００５０】
図５（ｅ）に示すように、もう１度、入力ソース切替用ボタンＳＢが押された場合、入
力ソースは次の「カメラ」に移行し、「カメラ」である書画カメラ５０から画像信号の入
力がある場合に、（ｆ）に示すように、その書画カメラ５０に基づく画像が表示される（
ステップＳ２５０）。（ｇ）に示すように、さらにもう１度、入力ソース切替用ボタンＳ
Ｂが押された場合、入力ソースは順位が最初のものである「コンピュータ」に移行し、「
コンピュータ」であるパーソナルコンピュータ９０から画像信号の入力がある場合に、（
ａ）に示すように、そのパーソナルコンピュータ９０に基づく画像が表示される（ステッ
プＳ２５０）。
【００５１】
なお、図４に戻って、ステップＳ２６０で、現在表示されている入力ソース以外のすべ
ての入力ソースについての入力探索が終了したと判定された場合には、制御部２０は、入
力ソース一覧画面を表示する処理を行う（ステップＳ２７０）。すべての入力ソースにつ
いての入力探索が終了したと判定された場合には、現在表示されている画像信号しかプロ
ジェクタ１０に入力されていないということであることから、スクリーンＳＣに入力ソー
ス一覧画面を表示して、使用者に対して後述する操作を促す。
【００５２】
図６は、入力ソース一覧画面ＳＳの一例を示す説明図である。図示するように、入力ソ
ース一覧画面ＳＳには、プロジェクタ１０に接続される画像入力機器の全てのソース名が
一覧として表示されている。各ソース名には、画像信号の入力の有無が表示されている。
各ソース名は、使用者による書画カメラ５０の操作により選択が可能となっている。すな
わち、使用者は、操作パネル６０を操作することで、複数のソース名から表示したいもの
を選択する。この選択の指令は書画カメラ５０からプロジェクタ１０に送られる。
【００５３】
図４に戻り、ステップＳ２７０に続くステップＳ２８０で、制御部２０は、上記書画カ
メラ５０からの選択指令を受けて、選択された入力ソースに基づく画像の表示を行う。こ
の結果、使用者が入力ソース一覧画面ＳＳから選択したソース名の入力ソースがスクリー
ンＳＣに表示されることになる。特に、選択された入力ソースが書画カメラ５０である場
合にも、書画カメラ５０が撮像した画像データの取得が開始され、書画カメラ５０の画像
データの表示がなされることになる。なお、書画カメラ５０からの選択指令が一定時間な
かった場合には、入力ソース一覧画面ＳＳの表示を終了し（非表示）とする。
【００５４】
ステップＳ２８０の実行後、もしくはステップＳ２５０の実行後、「リターン」に抜け
て、この切替実行処理を一旦終了する。
【００５５】
３．作用、効果：
以上のように構成された本実施例のプロジェクタシステム１００では、書画カメラ５０
の入力ソース切替用ボタンＳＢを押すことで、プロジェクタ１０で表示されている入力ソ
ースを切り替えることができる。このために、使用者は、プロジェクタやプロジェクタリ
モコンが載置されている場所まで移動することなく、表示されている入力ソースの切り替
えを行うことができ、特に、必要な回数だけ入力ソース切替用ボタンＳＢを押すことで、
書画カメラ５０に入力ソースを切り替えることもできる。したがって、使用者の操作性を
向上することができるという効果を奏する。
【００５６】
また、本実施例では、書画カメラ５０の入力ソース切替用ボタンＳＢを押すという操作
がなされる毎に、表示されている入力ソースを１つずつ切り替えることで、切り替えた入
力ソースの画面を順次、使用者に視認させることができる。このために、使用者は入力ソ
ースの切り替えを誤ることがない。また、使用者は、書画カメラ５０から、書画カメラ以
外の入力ソースへの切り替えも行うことができるという副次的な効果も奏する。
【００５７】
さらに、本実施例では、入力ソース切替用ボタンＳＢを押しても、画像信号が入力され
ていない入力ソースは飛び越されることから、目的の画像を素早く表示することができる
。また、現在投写されている画像信号しか入力されていない場合や画像信号がまったく入
力されていない場合にも入力ソース一覧画面を用いることで、入力ソースの選択が可能と
なる。
【００５８】
４．変形例：
なお、この発明は上記の実施例やその変形例に限られるものではなく、その要旨を逸脱
しない範囲において種々の態様において実施することが可能であり、例えば次のような変
形も可能である。
【００５９】
（１）上記実施例では、入力ソース切替用ボタンＳＢを押して、現在投写（表示）されて
いる画像信号しか入力されていない場合に、入力ソース一覧画面を表示するように構成し
たが、これに替えて、入力ソース切替用ボタンＳＢが押されたときに、画像信号の入力の
有無にかかわらず直ちに入力ソース一覧画面を表示する構成としてもよい。これにより、
表示したい入力ソースの選択を素早く行うことができる。
【００６０】
（２）上記実施例では、入力ソース切替用ボタンＳＢを操作することで、表示されている
入力ソースを書画カメラ以外にも順次切り替え可能としたが、これに替えて、入力ソース
切替用ボタンＳＢが操作されたときに、入力ソースをダイレクトに書画カメラへ切り替え
可能としてもよい。すなわち、プロジェクタは、書画カメラからの入力ソース切替指令信
号を受信すると、表示する入力ソースとして書画カメラを探索して、書画カメラからの画
像データを表示する。なお、その書画カメラの探索中においては、図７に示す入力ソース
検出中画面ＳＴをプロジェクタはスクリーンに表示する構成とすることが好ましい。
【００６１】
（３）上記実施例では、書画カメラ５０が入力ソース切替指令信号を出力するのは、入力
ソース切替用ボタンＳＢが使用者により操作されたときとしたが、これに換えて、書画カ
メラ５０のアーム５６が展開された状態にあるときとしてもよい。すなわち、書画カメラ
５０に、アーム５６が展開された状態にあることを検知するアーム展開検知部としてのス
イッチを設け、このスイッチがその展開を検知したときに、入力ソース切替指令信号を出
力する構成としてもよい。この構成によれば、使用者が、書画カメラ５０を用いて撮像を
行うに際してカメラヘッド５８を保持するアーム５６を展開する作業を行うだけで、入力
ソース切替指令信号をプロジェクタ１０に出力することができる。したがって、操作性に
より優れている。なお、書画カメラ５０が入力ソース切替指令信号を出力するのは、上記
２つの場合に限る必要もなく、他のスイッチが使用者により操作されたときとしてもよい
。また、必ずしも使用者による操作を受けてオンされるスイッチに限る必要もなく、所定
の条件が満たされたときに、入力ソース切替指令信号を出力する構成としてもよい。
【００６２】
（４）上記実施例では、プロジェクタ１０と書画カメラ５０との間はＵＳＢ接続されてい
たが、これに替えて、ＬＡＮ等の他の有線による接続としてもよい。また、必ずしも有線
である必要はなく、ＵＳＢまたはＬＡＮ等の無線接続によるものとしてもよい。
【００６３】
（５）上記実施例では、画像入力装置として書画カメラ５０を用いていたが、これに替え
て、撮像部を備える他の画像入力装置、例えば、ウェブカメラ、デジタルスチルカメラ、
ビデオカメラ等を用いる構成としてもよい。
【００６４】
（６）上記実施例では、画像表示装置として、外部のスクリーンＳＣに画像を投影するプ
ロジェクタ１０を用いていたが、これに替えて、スクリーンと、スクリーンの背面側に画
像を投影するプロジェクタとを備えるプロジェクションテレビを用いる構成としてもよい
。さらには、プロジェクタに限るものではなく、ディスプレイ装置等の種々の画像表示装
置に換えることもできる。
【００６５】
（７）また、上記実施例において、ハードウェアによって実現されていた構成の一部をソ
フトウェアに置き換えるようにしてもよく、逆に、ソフトウェアによって実現されていた
構成の一部をハードウェアに置き換えるようにしてもよい。
【図面の簡単な説明】
【００６６】
【図１】本発明の一実施例としてのプロジェクタシステム１００の概略構成を示す説明図である。
【図２】プロジェクタ１０と書画カメラ５０の内部構成を示す説明図である。
【図３】書画カメラ５０の制御部７０により実行される切替指令発行処理を示すフローチャートである。
【図４】プロジェクタ１０の制御部２０により実行される切替実行処理を示すフローチャートである。
【図５】ステップＳ２３０ないしＳ２６０の繰り返しの処理により実現される入力ソースの切り替えの様子の一例を示す説明図である。
【図６】入力ソース一覧画面ＳＳの一例を示す説明図である。
【図７】入力ソース検出中画面ＳＴの一例を示す説明図である。
【符号の説明】
【００６７】
１０…プロジェクタ
２０…制御部
２２…記憶部
２４…操作部
２６…ＵＳＢインタフェース部
２８…入力インタフェース部
３０…入力ソース切替部
３２…画像処理部
３４…投写部
５０…書画カメラ
５２…基台
５４…載置面
５６…アーム
５８…カメラヘッド
６０…操作パネル
７０…制御部
７２…記憶部
７４…操作部
７６…ＵＳＢインタフェース部
７８…照明部
８０…照明制御部
８２…撮像部
８４…画像処理部
８６…解像度変換部
９０…パーソナルコンピュータ
９１…ビデオテープレコーダ
９２…ＤＶＤプレイヤ
１００…プロジェクタシステム
Ｔ…被写体
ＳＢ…入力ソース切替用ボタン
ＳＣ…スクリーン
ＳＳ…入力ソース一覧画面
【図１】
2010177735.tif 000003
【図２】
2010177735.tif 000004
【図３】
2010177735.tif 000005
【図４】
2010177735.tif 000006
【図５】
2010177735.tif 000007
【図６】
2010177735.tif 000008
【図７】
2010177735.tif 000009